(57)【要約】【課題】チューニング作業を効率的に、かつ、容易に行うことができる弦楽器の調弦装置、弦楽器、つまみ部、巻取用工具を提供する。【解決手段】調弦装置５におけるつまみ部６は、同軸上に位置する大径部１５と小径部１６とで構成され、大径部１５は、小径部１６より調弦装置５が取り付けられるギターのヘッド部に近接する側に配置される。この構成により、大径部１５の外周面は微調整用の大径操作部１５ａとして、小径部１６の外周面は早く巻き取るための早巻用の小径操作部１６ａとしての２種類の仕様態様とすることができる。【選択図】      図２
2006072313.tif 000002
【特許請求の範囲】
【請求項１】
弦楽器の弦の一端部を巻き取る巻取軸と、当該巻取軸に連結されるつまみ部とを有し、当該つまみ部を回動させることで前記巻取軸を回動させて調弦を行う弦楽器の調弦装置において、
前記つまみ部は、当該つまみ部の外周面に設けられ且つ当該つまみ部の回動軸線と同軸上に位置する第１の操作部と第２の操作部とを含んで構成され、
前記第１の操作部は、前記第２の操作部よりも前記巻取軸側に配置され、
かつ、前記第１の操作部は、前記回動軸線からの距離が前記第２の操作部の前記回動軸線からの距離よりも大きくなっていることを特徴とする弦楽器の調弦装置。
【請求項２】
前記つまみ部はウォーム機構を構成するウォームに連結され、前記巻取軸は前記ウォームと噛合するウォームホイールに連結されることを特徴とする請求項１に記載の弦楽器の調弦装置。
【請求項３】
前記第１の操作部は円柱形状に形成された大径部の外周面にて構成されるとともに、前記第２の操作部は前記大径部よりも小径の円柱形状に形成された小径部の外周面にて構成されることを特徴とする請求項１又は請求項２に記載の弦楽器の調弦装置。
【請求項４】
前記大径部には、前記小径部の周囲に位置するように、前記回動軸線方向と平行に工具用孔が形成されていることを特徴とする請求項３に記載の弦楽器の調弦装置。
【請求項５】
請求項１乃至請求項４のいずれか１項に記載の弦楽器の調弦装置を備えたことを特徴とする弦楽器。
【請求項６】
請求項１乃至請求項４のいずれか１項に記載の弦楽器の調弦装置におけるつまみ部であって、
前記つまみ部は、
当該つまみ部の外周面に設けられ且つ当該つまみ部の回動軸線と同軸上に位置する第１の操作部と第２の操作部とを含んで構成され、
前記第１の操作部は、前記第２の操作部よりも前記巻取軸側に配置され、
かつ、前記第１の操作部は、前記回動軸線からの距離が前記第２の操作部の前記回動軸線からの距離よりも大きくなっていることを特徴とする弦楽器の調弦装置におけるつまみ部。
【請求項７】
請求項４に記載の弦楽器の調弦装置に用いられる巻取用工具であって、
前記調弦装置における前記つまみ部の大径部に形成される工具用孔に挿入可能な突部と、手で把持するための把持部と、前記突部と把持部とをクランク状に連結する連結部とを有し、前記把持部を前記突部を中心に回動させることで前記つまみ部を回動させることを特徴とする巻取用工具。
【発明の詳細な説明】
【技術分野】
【０００１】
本発明は、弦楽器の調弦装置、弦楽器、つまみ部、巻取用工具に関する。
【背景技術】
【０００２】
従来、ギター等の弦楽器において複数の弦の張力を調整するための巻き取り式の調弦装置が知られている。図６は、その代表的な調弦装置の一例を示す斜視図である。図６に示すように、調弦装置４１は、つまみ部４２と、つまみ部４２が接続されるハウジング部４３と、ハウジング部４３から突出する巻取軸４４とによって構成されている。ハウジング部４３内には、つまみ部４２に連結するウォーム（図示略）と巻取軸４４に連結するウォームホイール（図示略）とが設けられ、両者が噛み合うことで周知のウォーム機構が構成されている。このため、つまみ部４２を回転させると、この回転力がウォーム機構を介して９０度方向転換されて巻取軸４４を回転させて、弦の張力を調整できるようになっている。
【０００３】
ところで、こうした調弦装置４１におけるつまみ部４２は、一般的に、図６に示すように、指で摘みやすいようにその外形が板状に形成されている。しかし、日常のチューニングの際に板状のつまみ部４２では、つまみ部４２の回転角度位置によりこれを調整する指の位置が変わり、つまみ部４２を指で回転させる際のトルクのかかり具合がまちまちとなるため、弦の張力の微調整がしにくいといった問題があった。
【０００４】
また、弦を張り替えるときには巻取軸４４に何度も弦を巻き取るためにつまみ部４２を多数回回転させる必要があるが、板状のつまみ部４２では、半回転ごとにいちいち手首を返して指を持ち替えなければならず、非常に煩わしい作業となるという問題があった。
【０００５】
そこで、こうした問題を回避するために、特許文献１には、つまみ部を円柱形状に形成したものが開示されている。特許文献１の構成によれば、つまみ部が円筒形状であるため、指の力の入り具合の差異も生じにくく、半回転ごとに指を持ち替える必要もないため、弦を何度も巻く場合にも作業が煩わしくないとされていた。
【特許文献１】米国特許第５６９６３４１号明細書（請求項１、図２）
【発明の開示】
【発明が解決しようとする課題】
【０００６】
しかし、特許文献１に記載された調弦装置においても、次のような問題があった。
チューニングは非常に微妙な音程を調整するもので、つまみ部の径が小さいと、つまみ部を回転させるために大きな力が必要になるとともに、つまみ部を少し回転させるだけで巻取量の変化量が大きくなってしまう。そのため、あまりに小さい径のつまみ部とすることは好ましくない。そこで、軽い力で弦の張力の微調整を可能とするために、特許文献１に記載された調弦装置では、つまみ部の径を１５ｍｍ〜１８ｍｍ程度としている。
【０００７】
しかしながら、特許文献１に記載された調弦装置では、つまみ部の外形が円柱形状であるため、つまみ部の径を１５ｍｍ〜１８ｍｍ程度とすると、つまみ部全体としてのサイズが大きくなり、弦楽器のヘッド部に並列して設けられるつまみ部同士の間隔が狭隘となっていた。
【０００８】
ギターは、６本の弦それぞれに対応する調弦装置を備えており、これらの調弦装置をギターのヘッド部の両側に３つずつ配置するものや、片側に６つ併設して備える６連配置型のものがある。特に、この６連配置型のタイプは、ただでさえつまみ部同士の間隔が制限されて狭いところ、特許文献１に記載された調弦装置のつまみ部を採用すると、つまみ部自体のサイズが大きいために、チューニングの際に指が他のつまみ部に当たって煩わしいという問題を顕著に生ずることとなっていた。そして、チューニング操作が煩雑であるためにチューニング作業に余計な時間を要することとなるという問題があった。
【０００９】
本発明は、このような問題に鑑みてなされたものであり、その目的は、チューニング作業を効率的に、かつ、容易に行うことができる弦楽器の調弦装置、弦楽器、弦楽器の調弦装置におけるつまみ部を提供することにある。併せて、このつまみ部を回転させる巻取用工具を提供することにある。
【課題を解決するための手段】
【００１０】
上記目的を達成するために、請求項１に係る弦楽器の調弦装置は、弦楽器の弦の一端部を巻き取る巻取軸と、当該巻取軸に連結されるつまみ部とを有し、当該つまみ部を回動させることで前記巻取軸を回動させて調弦を行う弦楽器の調弦装置において、前記つまみ部は、当該つまみ部の外周面に設けられ且つ当該つまみ部の回動軸線と同軸上に位置する第１の操作部と第２の操作部とを含んで構成され、前記第１の操作部は、前記第２の操作部よりも前記巻取軸側に配置され、かつ、前記第１の操作部は、前記回動軸線からの距離が前記第２の操作部の前記回動軸線からの距離よりも大きくなっていることを特徴とする。
【００１１】
請求項２に係る弦楽器の調弦装置は、請求項１に記載の弦楽器の調弦装置において、前記つまみ部はウォーム機構を構成するウォームに連結され、前記巻取軸は前記ウォームと噛合するウォームホイールに連結されることを特徴とする。
【００１２】
請求項３に係る弦楽器の調弦装置は、請求項１又は請求項２に記載の弦楽器の調弦装置において、前記第１の操作部は円柱形状に形成された大径部の外周面にて構成されるとともに、前記第２の操作部は前記大径部よりも小径の円柱形状に形成された小径部の外周面にて構成されることを特徴とする。
【００１３】
請求項４に係る弦楽器の調弦装置は、請求項３に記載の弦楽器の調弦装置において、前記大径部には、前記小径部の周囲に位置するように、前記回動軸線方向と平行に工具用孔が形成されていることを特徴とする。
【００１４】
請求項５に係る弦楽器は、請求項１乃至請求項４のいずれか１項に記載の弦楽器の調弦装置を備えたことを特徴とする。
請求項６に係る弦楽器の調弦装置におけるつまみ部は、請求項１乃至請求項４のいずれか１項に記載の弦楽器の調弦装置におけるつまみ部であって、前記つまみ部は、当該つまみ部の外周面に設けられ且つ当該つまみ部の回動軸線と同軸上に位置する第１の操作部と第２の操作部とを含んで構成され、前記第１の操作部は、前記第２の操作部よりも前記巻取軸側に配置され、かつ、前記第１の操作部は、前記回動軸線からの距離が前記第２の操作部の前記回動軸線からの距離よりも大きくなっていることを特徴とする。
【００１５】
請求項７に係る巻取用工具は、請求項４に記載の弦楽器の調弦装置に用いられる巻取用工具であって、前記調弦装置における前記つまみ部の大径部に形成される工具用孔に挿入可能な突部と、手で把持するための把持部と、前記突部と把持部とをクランク状に連結する連結部とを有し、前記把持部を前記突部を中心に回動させることで前記つまみ部を回動させることを特徴とする。
【発明の効果】
【００１６】
本発明によれば、チューニング作業を効率的に、かつ、容易に行うことができる。
【発明を実施するための最良の形態】
【００１７】
以下、本発明の弦楽器の調弦装置、つまみ部、巻取用工具を具体化した一実施形態を図１〜図５にしたがって説明する。
図１は、本実施形態のギター（弦楽器）１のヘッド部２を前側から見た斜視図である。なお、本発明の説明においては、ギター１の使用状態における上面側を上、弦３の張られる面側を前とする。
【００１８】
図１に示すように、ギター１のボディ（図示略）からネック部４を介して延設されるヘッド部２には、６本の弦３を巻き取るための６個の調弦装置５が並列状に設けられている。図２は、これらの調弦装置５を示す斜視図である。図２に示すように、俗にペグと呼ばれる調弦装置５は、つまみ部６と、つまみ部６が接続されるハウジング部７と、ハウジング部７の前方に突出形成されたハウジング筒部１３からさらに前方へ前端が突出する巻取軸８とによって構成されている。ハウジング筒部１３の内部にはねじ部１４が形成されている。また、巻取軸８の前端寄りには弦通し孔９が貫通形成されており、この弦通し孔９に弦３の一端部が挿入されて巻取軸８の外周に複数回巻き付けられている（図１参照）。
【００１９】
図４に示すように、ハウジング部７内には、つまみ部６に連結するウォーム７ａと巻取軸８に連結するウォームホイール７ｂとが設けられ、両者が噛み合うことで周知のウォーム機構７ｃが構成されている。このため、つまみ部６を回転させると、この回転力がウォーム機構７ｃを介して９０度方向転換されて巻取軸８を回転させて、弦３を巻取軸８に巻き取ったり戻したりできるようになっている。
【００２０】
ハウジング部７の前面には突片１１が斜め下方に向けて延設されており、その突片１１にはハウジング部７の回り止め用の孔１２が貫通形成されている。一方、図１においてヘッド部２における調弦装置５の取り付け位置（６箇所）には孔（図示略）が貫通形成されており、これらのヘッド部２に形成された各孔に、巻取軸８がヘッド部２から前方に突出するように、調弦装置５におけるハウジング部７のハウジング筒部１３が挿入される。そして、その状態において前方から巻取軸８に嵌め込まれた六角ナット１０（図１参照）がハウジング筒部１３内のねじ部１４に螺合することで、調弦装置５はヘッド部２に固定されている。また、突片１１に貫通形成された孔１２には後方から挿入されたねじ（図示略）がヘッド部２の後面に螺合しており、調弦装置５はヘッド部２に対して回り止めされた状態となっている。
【００２１】
一方、図３は、つまみ部６の斜視図であって、（ａ）は上方から見た斜視図であり、（ｂ）は下方から見た斜視図である。図１〜図４の各図に示すように、つまみ部６は、外形が円柱形状の径の異なる大径部１５と小径部１６とで構成され、大径部１５と小径部１６とは同軸（ウォーム７ａの軸線と同軸）上に配置されている。また、大径部１５には、小径部１６の周囲に位置するように、後に詳述する回動操作のための専用工具用の複数（本実施形態では等角度間隔をおいて８つ）の工具用孔１８が形成されている。各工具用孔１８はつまみ部６の回動軸線ｃ（図４参照）に対して平行に延び、大径部１５の上下方向を貫通する形態で形成されている。さらに、つまみ部６の中心部には、嵌込孔１９が小径部１６及び大径部１５を上下方向に貫通する形態で形成されている（図４参照）。
【００２２】
図４は、つまみ部６の取付構成を示す分解図である。図４に示すように、ハウジング部７にはハウジング部７内においてウォーム７ａに連結される取付軸部２１が回動可能に支持されている。この取付軸部２１は巻取軸８と直交する上方へ向けてハウジング部７から突出するように延設されている。なお、取付軸部２１の上端内部にはねじ部（図示略）が形成されている。
【００２３】
図４に示すように、つまみ部６の嵌込孔１９には、その大径部１５側から複数（本実施形態では４つ）のワッシャー２２，２３，２４，２５が嵌め込まれ、つまみ部６はこれらのワッシャー２２，２３，２４，２５を介して、ハウジング部７の取付軸部２１に連結されている。また、嵌込孔１９の小径部１６側からはビス２６が挿入され、ビス２６は取付軸部２１内に形成されたねじ部に螺合している。こうして、つまみ部６は、ビス２６により固定されることで、取付軸部２１から脱落しないようになっている。
【００２４】
また、取付軸部２１及び嵌込孔１９の大径部１５側の断面形状はそれぞれ略楕円形状であり、嵌込孔１９の方が取付軸部２１よりも僅かに大きな略楕円形状に形成されている。そして、こうした取付構成によりハウジング部７につまみ部６が取り付けられることで、つまみ部６は取付軸部２１に対して独立して回動することはなく、つまみ部６を回動させればその回動に伴い取付軸部２１も一体に回動するようになっている。
【００２５】
なお、大径部１５の外周面が本発明の第１の操作部に相当し、小径部１６の外周面が本発明の第２の操作部に相当する。本実施形態では、大径部１５の半径Ｄ１は１０ｍｍ（外径２０ｍｍ）、厚みは６ｍｍ、小径部１６の半径Ｄ２は５ｍｍ（外径１０ｍｍ）、厚みは１０ｍｍ程度となっており、従来の標準的なつまみ部の外径（１５ｍｍ〜１８ｍｍ）と比較すると、大径部１５は若干大きく、小径部１６は若干小さく形成されている。このように、つまみ部６の回動軸線ｃから大径部１５の外周面（第１の操作部）までの距離（Ｄ１）は、つまみ部６の回動軸線ｃから小径部１６の外周面（第２の操作部）までの距離（Ｄ２）よりも大きくなっている。
【００２６】
以上の構成の調弦装置５では、つまみ部６を指でつまんで回動させるとその回動により取付軸部２１が回動され、さらに取付軸部２１からウォーム機構７ｃを介して巻取軸８が回動されて、巻取軸８に巻き取る弦３の巻取量を調整することで弦３の張力を所望に調整することができる。本実施形態では、つまみ部６は大径部１５と小径部１６とで構成され、それぞれの外周面を指でつまんで操作することが可能である。以下、大径部１５の外周面を大径操作部１５ａ、小径部１６の外周面を小径操作部１６ａとして説明する。
【００２７】
ところで、小径部１６によって巻取軸８を一回転させるのに必要な操作量（小径部１６の外周距離に相当する。）は、大径部１５によって巻取軸８を一回転させるのに必要な操作量（大径部１５の外周距離に相当する。）よりも少なくてすむ。よって、巻取軸８を同じ回転数だけ回転させて弦３を巻き取る（もしくは戻す）場合には、操作量の少ない小径部１６を回転させた方が早く回転させることができ、巻き取り（戻し）操作を効率的に行うことができる。特に、弦３が緩んでおり、微妙な音程を調整する段階にまである程度弦３を張る必要がある場合等には、小径操作部１６ａを指でつまんで回転操作して巻き取れば、効率的にチューニングができる。
【００２８】
一方、大径部１５の外径は小径部１６の外径の約２倍の大きさとなっており、上記したように小径部１６と比べて同じだけ巻取軸８を回転させる場合の操作量は２倍程度となる。このように、小径部１６と比較して操作量に対する巻取軸８の回転数が小さいということは、言い換えれば巻取軸８を僅かにゆっくりと回転させたい場合には有効である。よって、微妙な音の高低を調整するチューニングの最終段階における微調整の際には、大径操作部１５ａを回転操作することで、容易に正確なチューニングができる。
【００２９】
このように、２種類の操作部（大径操作部１５ａ、小径操作部１６ａ）を設け、弦３を早く巻き取ったり戻したりする場合には小径操作部１６ａを用い、慎重に微調整を行う場合には大径操作部１５ａを用いることで各操作部１５ａ，１６ａを使い分ければ、効率的かつ容易にチューニングをすることができる。
【００３０】
また、各操作部１５ａ，１６ａはともに円柱形状部材である大径部１５、小径部１６の外周面によって構成されているため、指でつまんで回転操作する場合に、常に手首の角度を一定にしたままで操作することができる。さらに、従来技術（図６参照）のように平べったい板状のつまみ部４２では、つまみ部４２の操作回転角度位置によりトルクのかかり具合がまちまちとなり微調整がしにくいといった問題があったが、本実施形態によればこういった問題も生じ得ない。
【００３１】
さらに、弦３の張り替え時等、つまみ部６を多数回連続して回転させて弦３を巻き取り（戻し）たい場合には、専用の工具を用いることができる。図５は、上記説明した実施形態における調弦装置５と併せて用いられる巻取用工具３１である。図５に示すように、通称ワインダーと呼ばれるこの巻取用工具３１は、複数の突部３２と、円筒状の把持部３３と、突部３２と把持部３３とをクランク状に連結する連結部３４とによって構成されている。複数（本実施形態では、工具用孔１８と同様に等角度間隔をおいて８つ）の突部３２は、一端（図５において紙面上側）が筒部３５として形成された連結部３４の先端から筒部３５の軸線方向へ延設されており、その形状は調弦装置５のつまみ部６に形成される工具用孔１８の外形より僅かに小さく、工具用孔１８に挿入可能に対応した形状となっている。また、連結部３４の他端（図５において紙面下側）には連結部３４を把持部３３と連結するためのねじ３６が挿入されるねじ用孔（図示略）が貫通形成されている。そして、ねじ用孔の一端側から挿入されるねじ３６が把持部３３内に螺合しており、連結部３４と把持部３３とは相対回動可能な構成となっている。
【００３２】
よって、突部３２を工具用孔１８に嵌め込んだ状態で突部３２（筒部３５）を中心に把持部３３を回動させれば、巻取用工具３１と連結されたギター１のつまみ部６を回動させることができる。把持部３３を手で把持して回転させれば、指でつまみ部６をつまんで直接回転させるよりも素早く効率的に巻取軸８を回転させて弦３を巻き取ったり戻したりできる。
【００３３】
なお、本実施形態の巻取用工具３１は、つまみ部６の大径部１５に形成された工具用孔１８に突部３２を挿入することでつまみ部６と連結する構成であって、つまみ部６の外周面を把持しないため、継続的な使用に際してつまみ部６の外周面が徐々に破損してしまうことがない。また、工具用孔１８に突部３２を挿入することで、非常に簡単につまみ部６と巻取用工具３１とを連結させることができる。
【００３４】
上記実施形態によれば、以下のような効果を得ることができる。
（１）つまみ部６は、同軸上に位置する大径部１５と小径部１６とで構成され、大径部１５の外周面と小径部１６の外周面とで２種類の操作部（大径操作部１５ａ、小径操作部１６ａ）が構成されている。よって、弦３を張り替える時等において弦３を早く巻き取ったり戻したりする場合には小径操作部１６ａを用い、慎重に微調整を行う場合には大径操作部１５ａを用いることができ、効率的かつ容易にチューニングをすることができる。
【００３５】
（２）また、各操作部１５ａ，１６ａはともに円柱形状部材である大径部１５、小径部１６の外周面によって構成されているため、指でつまんで回転操作する場合に、手首を返したりする必要もなく常に手首を一定の角度に保持したままで操作することができる。
【００３６】
（３）さらに、各操作部１５ａ，１６ａが平断面視円形状であるため、つまみ部６の操作回転角度位置に関係なくつまみ部６へのトルクのかかり具合が一定となり、正確に微調整することができる。
【００３７】
（４）つまみ部６は取付軸部２１に嵌め込まれて、ビス２６によって取付軸部２１から脱落しない構成となっている。すなわち、ビス１本の取り付け・取り外し操作によってつまみ部６の取り付け・取り外しができるため、互換性に優れた構成とすることができる。このため、既存の調弦装置５のつまみ部のみを本実施形態のつまみ部６に容易に付け替えることもできる。
【００３８】
（５）小径部１６の外径は、従来の標準的なつまみ部の外径よりも若干小さく形成されているため、並列する小径部１６同士の間に所定の隙間が形成され、小径操作部１６ａにてチューニングする際に指が他のつまみ部６の小径部１６に当たることもなく、操作性の向上を図ることができる。
【００３９】
（６）つまみ部６の大径部１５には巻取用工具３１の突部３２が挿入される複数の工具用孔１８が形成されている。このため、専用の巻取用工具３１を用いて効率的に調弦することができる。
【００４０】
（７）また、巻取用工具３１の突部３２をつまみ部６の工具用孔１８に挿入してつまみ部６と連結する構成であってつまみ部６の外周面を把持する構成ではないため、つまみ部６の外周面を不用意に傷付けてしまうことがない。
【００４１】
なお、上記実施形態は以下のように変更してもよい。
・上記実施形態では、つまみ部６は円柱形状の大径部１５と小径部１６とで構成されるものとしたが、これに限定されるものではない。例えば、円柱形状ではなく６角形や８角形等の多角形（もしくは正多角形）形状でもよい。この際、一方の多角形の外周面に相当する第１の操作部の回動軸線ｃからの距離がもう一方の多角形の外周面に相当する第２の操作部の回動軸線ｃからの距離よりも大きくなっていればよい。そして、その第１の操作部が第２の操作部よりも巻取軸８側に配置されていれば、上記実施形態と同様に第１の操作部を微調整用として、第２の操作部を早く巻き取るための早巻用としての２種類の仕様態様とすることができる。
【００４２】
・上記実施形態において、つまみ部６の大径部１５に形成される工具用孔１８はなくてもよい。この場合においても、上記（１）〜（５）の効果を奏すことができ、巻取用工具を用いる場合は、例えば大径部１５の外周面を把持するタイプの周知の巻取用工具で代用することができる。
【００４３】
・上記実施形態のつまみ部６（大径部１５、小径部１６）の外周面にローレット加工を施しても良い。この場合、つまみ部６を指でつまんで操作する際に滑り止めとしての効果を奏すことができる。
【００４４】
・上記実施形態では、弦楽器としてギター１を例に説明したが、巻き取り式の調弦装置５を有する種々の弦楽器に対して同様に実施できる。また、上記つまみ部は、ウォーム機構７ｃを有する調弦装置ではなく、直巻きタイプの調弦装置のつまみ部としても実施できる。
【図面の簡単な説明】
【００４５】
【図１】本実施形態のギター（弦楽器）の調弦装置の一実施態様を示す斜視図。
【図２】調弦装置を示す斜視図。
【図３】（ａ）はつまみ部を上方から見た斜視図、（ｂ）はつまみ部を下方から見た斜視図。
【図４】つまみ部の取付構成を示す分解図。
【図５】巻取用工具の斜視図。
【図６】従来の調弦装置を示す斜視図。
【符号の説明】
【００４６】
ｃ…回動軸線、１…ギター（弦楽器）、２…ヘッド部（本体部）、３…弦、４…ネック部、５…調弦装置、６…つまみ部、７…ハウジング部、７ａ…ウォーム、７ｂ…ウォームホイール、７ｃ…ウォーム機構、８…巻取軸、１５…大径部、１５ａ…大径操作部（大径部１５の外周面、第１の操作部）、１６…小径部、１６ａ…小径操作部（小径部１６の外周面、第２の操作部）、１８…工具用孔、２１…取付軸部、２２，２３，２４，２５…ワッシャー、２６…ビス、３１…巻取用工具、３２…突部、３３…把持部、３４…連結部、３５…筒部、３６…ねじ。
【図１】
2006072313.tif 000003
【図２】
2006072313.tif 000004
【図３】
2006072313.tif 000005
【図４】
2006072313.tif 000006
【図５】
2006072313.tif 000007
【図６】
2006072313.tif 000008